(57)【特許請求の範囲】
【請求項１】
妻方向端部に位置し、下弦材と上弦材で構成される３角形のガーダー屋根トラスと、隅木と軒桁と、これらに架設される垂木とで寄棟が構築される屋根構造であって、溝形鋼で形成される前記ガーダー屋根トラスの頂部において、左右の上弦材のウエブ背面に、当該左右の上弦材の間を接合するトラス頂部接合金物を当接して、当該上弦材と当該トラス頂部接合金物を貫通する固定金具により両部材を接合し、他方、溝形鋼で形成される隅木の端部において、左右の隅木のウエブ背面に当該隅木と同一断面形状の補強用隅木のウエブ背面を、その片端部が当該隅木の端部から突出するように接合プレートを挟んで配設し、その当接部を貫通する固定金具により各部材を接合し、隅木接合金物の中央部を前記トラス頂部接合金物に当接して両部材間を固定金具で接合し、かつ前記隅木接合金物の折り曲げ部と前記隅木の端部から突出する接合プレートを当接して両部材を固定金具で接合した構成を特徴とする建築物の屋根構造。
【請求項２】
前記隅木に代えて、前記隅木と同一断面形状の隅木トラス上弦材を前記隅木と同じ接合構造で前記トラス頂部接合金物に接合することを特徴とする請求項１記載の建築物の屋根構造。
【請求項３】
妻方向端部に位置し、下弦材と上弦材で構成される３角形の屋根トラスと、隅木と軒桁と、これらに架設される垂木とで構築される屋根構造であって、溝形鋼で形成される前記屋根トラスの頂部において、左右の上弦材のウエブ背面に、当該上弦材と同一断面形状の補強用上弦材のウエブ背面を、前記左右の上弦材の間を結合するトラス頂部接合金物を挟んで当接し、この当接部を貫通する固定金具により前記各部材を接合してなる建築物の屋根構造。
【発明の詳細な説明】
【０００１】
【発明の属する技術分野】
本発明は、建築物の屋根構造に係り、特に鋼製住宅におけるガーダー屋根トラスと、隅木との接合構造及び、屋根トラスの補強構造に特徴を有する建築物の屋根構造に関するものである。
【０００２】
【従来の技術】
鋼製住宅においては、板厚０．５ｍｍ〜２．３ｍｍ程度の薄鋼板をロールフオーミング加工してなる溝形鋼を枠材とし、各枠材間を固定金具により結合して建物枠を構築している。前述の鋼製住宅において、寄棟屋根の補強構造及び接合構造には改良すべき点が残されている。
【０００３】
図５，図６によって説明すると、各図に示される寄棟屋根は本発明者が別途開発したもので（現在未公開出願中）、この図には、寄棟屋根における一方の妻部が示されている。図において、各部材に薄鋼板製の溝形鋼が使用され、また、互いに平行関係にある２組の軒桁１，２が矩形に組まれている。各軒桁１，２は建物の壁面を取付ける複数の柱３（図７に示す）の上端に取付けられる。図には、下弦材４と、２つの上弦材５からなる２等辺３角形の妻側端部に位置するガーダー屋根トラス６が示されている。
【０００４】
２方向に配置された軒桁１，２が交わる２つの軒隅１５から、前記ガーダー屋根トラス６の頂部１１に伸長して１本部材の隅木１６が架設され、寄棟屋根の傾斜架構が構築される。
【０００５】
【発明が解決しようとする課題】
前述の屋根構造にあっては、屋根トラスの強度確保上の問題、ガーダー屋根トラスと隅木との接合構造における施工性，精度確保等の点で問題がある。本発明はこれらの問題点を解決した屋根構造を提供することを課題とする。
【０００６】
【課題を解決するための手段】
前記の課題を解決するため、本発明は、妻方向端部に位置し、下弦材と上弦材で構成される３角形のガーダー屋根トラスと、隅木と軒桁と、これらに架設される垂木とで寄棟が構築される屋根構造であって、溝形鋼で形成される前記ガーダー屋根トラスの頂部において、左右の上弦材のウエブ背面に、当該左右の上弦材の間を接合するトラス頂部接合金物を当接して、当該上弦材と接合金物を貫通するボルト等の固定金具により両部材を接合し、他方、溝形鋼で形成される隅木の端部において、左右の隅木のウエブ背面に当該隅木と同一断面形状の補強用隅木のウエブ背面を、その片端部が当該隅木の端部から突出するように接合プレートを挟んで配設し、その当接部を貫通する固定金具により各部材を接合し、隅木接合金物の中央部を前記トラス頂部接合金物に当接して両部材を固定金具で接合し、隅木接合金物の折り曲げ部と前記隅木の端部から突出する接合プレートを当接して両部材を固定金具で接合した構成を特徴とする。
また本発明は、前記隅木に代えて、前記隅木と同一断面形状の隅木トラス上弦材を前記隅木と同じ接合構造で前記トラス頂部接合金物隅木に接合することを特徴とする。
また本発明は、妻方向端部に位置し、下弦材と上弦材で構成される３角形の屋根トラスと、隅木と軒桁と、これらに架設される垂木とで構築される屋根構造であって、溝形鋼で形成される前記屋根トラスの頂部において、左右の上弦材のウエブ背面に、当該上弦材と同一断面形状の補強用上弦材のウエブ背面を、前記左右の上弦材の間を結合するトラス頂部接合金物を挟んで当接し、この当該部を貫通する固定金具により前記各部材を接合してなる構成を特徴とする。
【０００７】
第１と第２の発明によると、隅木はこれと同一断面形状の補強用隅木で補強されており、かつ接合プレートと、隅木接合金物と、トラス頂部接合金物を介して、ボルト等の固定金具によりガーダー屋根トラスと隅木が現場での容易な施工で接合できる。
また、第３の発明によると、ガーダー屋根トラス（他のキングポスト屋根トラスも同じ）の上弦材は、これと同一断面形状の補強用上弦材との背中合わせ接合により、他を一切変えることなく補強できる。
【０００８】
【発明の実施の形態】
以下本発明の実施形態を図を参照して説明する。
図１〜図２は第１実施形態として、寄棟屋根の妻部の架構構造を示し、妻方向端部に位置するガーダー屋根トラス２６の上弦材５と、隅木１６及び、束部材１２のいずれも薄鋼板製の溝形鋼で構成されている。前記ガーダー屋根トラス２６の頂部３１において、左右の上弦材５のウエブ２０背面に、当該左右の上弦材５の間を接合するトラス頂部接合金物８ａを当接して、当該上弦材５と頂部接合金物８ａを貫通するボルト等の固定金具２５により両部材が接合されている。
【０００９】
また、溝形鋼で形成される隅木１６の上端部において、左右の隅木１６のウエブ２０背面に、当該隅木１６と同一断面形状の補強用隅木２７のウエブ２０背面を、当該隅木１６の上端から突出する接合プレート２８を挟んで当接し、かつその当接部を貫通する固定金具２５により各部材を接合し、隅木接合金物２９の当接面３０を前記トラス頂部接合金物８ａに当接して両部材及び、束部材１２間をボルト等の固定金具２５で接合し、かつ隅木接合金物２９の折り曲げ部３２と前記隅木１６の接合プレート２８を当接して両部材間をボルト等の固定金具２５で接合する。
【００１０】
第１実施形態の屋根構造によると、隅木１６と補強用隅木２７には予め接合プレート２８が取付けられており、この接合プレート２８と隅木接合金物２９とトラス頂部接合金物８ａは、現場施工が容易なボルト等による固定金具２５により接合され、同時に束部材１２も接合されるので施工が従来に比べて著るしく簡素化される。
【００１１】
図３、図４には、第２実施形態に係る寄棟屋根の妻部の架構構造が示されている。この第２実施形態では、前記ガーダー屋根トラス２６において、左右の上弦材５のウエブ２０背面に、当該上弦材５と同一断面形状の補強用上弦材３３のウエブ２０の背面を、前記左右の上弦材５の間を結合するトラス頂部接合金物８ａを挟んで当接し、かつ両上弦材５とトラス頂部接合金物８ａを貫通するボルト等の固定金具２５により前記各部材を接合して構成される。また、下弦材４のウエブ２０背面に当該下弦材４と同一断面形状の補強用下弦材３４のウエブ２０の背面を前記下弦材４の間を結合する接合金物８を挟んで当接し、かつ両下弦材４とトラス頂部接合金物８ａを貫通するボルト等の固定金具２５により前記各部材を接合して構成される。
【００１２】
第２実施形態によると、ガーダー屋根トラス２６の上弦材５のウエブ背面に、これと同一断面形状の補強用上弦材３３をトラス頂部接合金物８ａを介して背中合わせで当接し、固定金具２５で結合することにより補強されているので、ガーダー屋根トラス２６は上弦材５の断面を大きくすることなく、かつガーダー屋根トラスは幅方向中心軸線を介して対象であって偏心せず、バランスを保って補強される。なお、この補強構造は、ガーダー屋根トラス２６について説明したが、キングポスト屋根トラスについても全く同様に適用される。
【００１３】
【発明の効果】
以上説明したように、本発明の第１と第２の発明によると、寄棟屋根の棟部において、溝形鋼製の隅木及び、これと同一断面形状の補強用隅木を接合金物を中間に挟んで固定金具で補強し、現場作業では、前記各隅木の上端から突出する接合プレートと、隅木接合金物をボルト等の固定金具で固定し、この隅木接合金物の当接面を屋根トラスの左右上弦材と束部材を接合するトラス頂部接合金物の側面に当てがい、ボルト等の固定金具を用いて結合できるので、ガーダー屋根トラスと隅木との取合いと現場接合の容易化及び、施工精度の大巾向上と施工時間の大巾短縮化が可能となる。
【００１４】
また、第３の発明によると、溝形鋼製の屋根トラス上弦材のウエブ背面に、これと同一断面形状の補強用上弦材をトラス頂部接合金物を中間に両ウエブ背中合わせで接合し、かつボルト等の固定具を介して結合することで前記上弦材を補強するから、従来のように溝形鋼の断面の増大や偏心の問題が生じず、基本的に他を一切変えずに、上弦材と同じ部材を単に追加し、さらには、必要に応じて接合金物の板厚を上げるだけで補強に対して簡易に対応できるという効果がある。
【図面の簡単な説明】
【図１】本発明の第１実施形態に係る屋根トラス頂部における隅木との取合い構造を示す横断平面図である。
【図２】図１にＡ矢印で示す正面図である。
【図３】第２実施形態に係る屋根トラスの補強構造を示す断面図である。
【図４】第２実施形態に係る屋根トラス頂部における隅木との取合い構造を示す横断平面図である。
【図５】寄棟屋根を構築する場合の第１施工工程の斜視図である。
【図６】同じく第２工程の斜視図である。
【図７】ガーダー屋根トラスの正面図である。
【符号の説明】
１  軒桁
２  軒桁
３  柱
４  下弦材
５  上弦材
６  ガーター屋根トラス
７  棟つなぎ
８  接合金物
８ａ  トラス頂部接合金物
１０  ドリルねじ
１１  頂部
１２  束部材
１３  ラチス材
１４  天井根太
１５  軒隅
１６  隅木
１７  垂木
１８  隅木下弦材
１９  ボルト
２０  ウエブ
２１  第１当接面
２２  第２当接面
２３  中間当接面
２４  隅木接合金物
２５  固定金具
２６  ガーダー屋根トラス
２７  補強用隅木
２８  接合プレート
２９  隅木接合金物
３０  中央部
３１  頂部
３２  折り曲げ部
３３  補強用上弦材
３４  補強用下弦材
【図１】
0003676587.tif 000002
【図２】
0003676587.tif 000003
【図３】
0003676587.tif 000004
【図４】
0003676587.tif 000005
【図５】
0003676587.tif 000006
【図６】
0003676587.tif 000007
【図７】
0003676587.tif 000008